(57)【要約】【課題】ケースを共用しつつ、異なる大きさの電池パックを収納・固定できる電池収納部を有する無線装置を提供すること。【解決手段】無線回路基板１０５の電源としての電池パック２００ａ〜２００ｃが収納可能な電池収納部１０７を有する無線装置１００において、電池収納部１０７は、収納する大きさの異なる複数の電池パック２００ａ〜２００ｃに対応していずれの電池パックも保持可能な複数の保持部１０８〜１１０を有するように構成した。【選択図】図２
2018063859.tif 000002
【特許請求の範囲】
【請求項１】
無線回路部と前記無線回路部に電源を供給する電池パックが収納可能な電池収納部を有する無線装置において、
前記電池収納部は、大きさの異なる複数の電池パックを保持可能な保持部を有したことを特徴とする無線装置。
【請求項２】
無線回路部と前記無線回路部に電源を供給する電池パックが収納可能な電池収納部を有する無線装置において、
前記電池収納部は、大きさの異なる複数の電池パックを固定又は位置決め可能な対となった爪部を備えた保持部を有することを特徴とする無線装置。
【請求項３】
前記保持部は、収納する前記電池パックの大きさに対応して、前記電池の固定又は位置決めの機能が異なることを特徴とする請求項２記載の無線装置。
【請求項４】
前記電池パックは、同じ形状の円柱状の電池を複数本束ね、本数の違いで大きさが異なることを特徴とする請求項１から３のいずれか１項に記載の無線装置。
【請求項５】
前記無線回路部は、無線機能を選択可能に構成された請求項１から４のいずれか１項に記載の無線装置。
【請求項６】
前記無線回路部は、無線機能に応じた専用の回路基板を選択して実装することを特徴とする請求項１から４のいずれか１項に記載の無線装置。
【発明の詳細な説明】
【技術分野】
【０００１】
本発明は、電池を電源とした無線装置に関する。
【背景技術】
【０００２】
ガス、電力、水道等のユーティリティの使用量を計測するメータの検針値を無線等を用いて自動的に検針する無線自動検針システムが実用化されている。
【０００３】
この様な無線自動検針は、メータに取り付けられたメータからの検針値を受ける子機と子機から得られたメータの検針値をユーティリティ会社のセンターサーバーへ送信する親機、及び、子機と親機の距離が大きく直接通信できない場合に、子機と親機間の中継を行う子機とから構成されている（例えば、特許文献１参照）。
【０００４】
このような無線自動検針システムにおいて、通信経路は、子機、中継器、親機がその通信範囲に応じて多段に接続されて、メータの検針値が最終的に親機に収集されるように構成されている。
【０００５】
また、このような無線装置では電源としての電池を内蔵しており、電池の交換無しで所定の期間（例えば、ガスメータの子機では１０年間）の使用が出来るように設計されている。そして、子機、中継器、親機はそれぞれの通信相手の数が異なる為、通信回数もそれぞれで異なり、消費電流も異なることになり、電源として電池を用いる場合には消費電流に見合った電池を選択し、この電池を実装する構成となっている。
【先行技術文献】
【特許文献】
【０００６】
【特許文献１】特開２０１２−１３４６０４号公報
【発明の概要】
【発明が解決しようとする課題】
【０００７】
しかしながら、前記従来の方法では、子機、中継器、親機で異なる大きさの電池を実装する必要があり、電池の大きさに合わせてそれぞれにあったケースを設計する必要があり、ケースの共用化は行われていなかった。
【０００８】
本発明は、前記従来の課題を解決するもので、ケースを共用しつつ、内蔵する無線装置の機能によって異なる消費電力に対応した電池容量の電池を選択しても、いずれの電池も収納・固定できる電池収納部を有する無線装置を実現することを目的とする。
【課題を解決するための手段】
【０００９】
前記従来の課題を解決するために、本発明の無線装置は、無線回路部と前記無線回路部に電源を供給する電池パックが収納可能な電池収納部を有する無線装置において、前記電池収納部は、大きさの異なる複数の電池パックを保持可能な保持部を有したことを特徴とするものである。
【００１０】
これによって、ケースを共用しつつ、大きさの異なる電池を収納・固定できるので、内蔵する無線装置の機能（コンセントレーター、中継器、メータ子機、メータ親機等）に応じて、適切な電池容量の電池を選択できる。
【発明の効果】
【００１１】
本発明の無線装置によると、ケースを共用しつつ、大きさの異なる電池を収納・固定できるので、内蔵する無線装置の機能（コンセントレーター、中継器、メータ子機、メータ親機等）に応じて、適切な電池容量の電池、即ち、大きさの異なる電池を選択し、実装することができる。
【００１２】
また、メータとの有線接続の機能を有する無線装置のように、通信仕様によって消費電力が異なる場合でも、同様に消費電力に応じた電池を選択し、実装することができる。
【図面の簡単な説明】
【００１３】
【図１】実施の形態１における無線装置の概観斜視図
【図２】（ａ）実施の形態１における無線装置の電池部蓋を取った斜視図、（ｂ）同平面図
【図３】実施の形態１における無線装置の電池収納部に電池パックを収納した状態を示す斜視図
【図４】（ａ）〜（ｃ）実施の形態１における電池パックの収納状態を示す断面図
【発明を実施するための形態】
【００１４】
第１の発明は、無線回路部と前記無線回路部に電源を供給する電池パックが収納可能な電池収納部を有する無線装置において、前記電池収納部は、大きさの異なる複数の電池パックを保持可能な保持部を有したことを特徴とするものである。
【００１５】
第２の発明は、無線回路部と前記無線回路部に電源を供給する電池パックが収納可能な電池収納部を有する無線装置において、前記電池収納部は、大きさの異なる複数の電池パックを固定又は位置決め可能な対となった爪部を備えた保持部を有することを特徴とするものである。
【００１６】
第３の発明は、特に第２の発明において、前記保持部は、収納する前記電池パックの大きさに対応して、前記電池の固定又は位置決めの機能が異なることを特徴とするものである。
【００１７】
第４の発明は、特に第１〜３のいずれか一つの発明において、前記電池パックは、同じ形状の円柱状の電池を複数本束ね、本数の違いで大きさが異なることを特徴とするものである。
【００１８】
第５の発明は、特に第１〜４のいずれか一つの発明において、前記無線回路部は、無線機能を選択可能に構成されたものである。
【００１９】
第６の発明は、特に第１〜４のいずれか一つの発明において、前記無線回路部は、無線機能に応じた専用の回路基板を選択して実装することを特徴とするものである。
【００２０】
（実施の形態１）
図１は、実施の形態１における無線装置１００の斜視図であり、ケース本体１０１と、ケース本体１０１にネジ１０３で固定される電池部蓋１０２とで構成されている。
【００２１】
図２（ａ）は、電池部蓋１０２を取り外した状態を示す斜視図であり、ケース本体１０１の内部には電源としての電池を収納し、固定する為の電池収納部１０７が構成された電池部ケース１０４と、無線回路基板１０５が内装されている。図２（ｂ）は、無線装置１００の平面図を示している。
【００２２】
無線装置１００としての機能は、無線回路基板１０５によって実現され、子機、中継機
、親機で基本的な回路を共用し、設定によって機能を選択したり、部品追加の有無で専用の回路基板とする、或いは、子機、中継機、親機でそれぞれ専用の基板を設計するなど様々である。
【００２３】
また、無線回路基板１０５には端子台１０６が実装されており、子機として機能する場合に、メータや、レベル計、警報機、切替弁とリード線で接続する為に用いられる。リード線保持部１１２は、左右から互い違いに突出した凸部でメータと接続されたリード線（図示せず）を保持するように構成されている。
【００２４】
ここで、無線回路基板１０５における消費電流は、機能及び設置される条件に応じて異なる為、それぞれに応じて電源としての電池パックが選択される。本実施の形態においては、円柱状の電池を２本、３本、５本束ねた電池パックから選択され、いずれの電池も収納できるように電池収納部１０７を構成している。
【００２５】
図３は、一例として、後述する電池を５本束ねた電池パック２００ｃが電池収納部１０７に収納された斜視図を示している。
【００２６】
次に、図２〜図４を用いて電池収納部１０７の構成と、各電池パックの収納方法について説明する。
【００２７】
図４（ａ）〜（ｂ）は、図２（ｂ）のＡ−Ａ断面図と共に、大きさの異なる電池パックが収納された状態をそれぞれ図示している。
【００２８】
電池パックは、基本となる円柱状の電池を２本束ねた電池パック２００ａ、３本を横に並べて束ねた電池パック２００ｂ、３本の円柱状の電池を平面状に並べ更に２本の電池を重ねた５本構成の電池パック２００ｃを用いており、その断面形状は図４に示す通りである。なお、基本となる円柱状の電池を点線で示している。
【００２９】
ここで、電池収納部１０７には、収納する電池パックを保持する為の３つの保持部が、設けられている。図２（ｂ）に示すように、第１保持部１０８は爪部１０８ａと爪部１０８ｂで構成され、第２保持部１０９は爪部１０９ａと爪部１０９ｂで構成され、第３保持部１１０は爪部１１０ａと爪部１１０ｂで構成されている。
【００３０】
また、図４に示すように、爪部１０８ａと爪部１０８ｂの先端部分は、電池収納部１０７の内側に向かって湾曲部１０８ｃ、１０８ｄを有している。爪部１０９ａと爪部１０９ｂの先端部分は、電池収納部１０７の内側に向かって凸部１０９ｃ、１０９ｄが形成されている。また、図２（ａ）に示すように、爪部１１０ａと爪部１１０ｂは、電池収納部１０７の内側に向かって凸部１１０ｃ、１１０ｄが形成されている。
【００３１】
図４（ａ）は、電池パック２００ａを収納した状態を示しており、第１保持部１０８で電池パック２００ａの側部（図で示す左右）が保持されている。また、第３保持部１１０を構成する爪部１１０ａと爪部１１０ｂの凸部１１０ｃ、１１０ｄで上部が保持されており、電池収納部１０７内で固定されている。
【００３２】
そして、点線で示した電池部蓋１０２を装着した状態では、空間１１１が存在するが、第１保持部１０８と第３保持部１１０で保持される為、電池収納部１０７内で確実に固定することができる。
【００３３】
図４（ｂ）は、電池パック２００ｂを収納した状態を示しており、第１保持部１０８の上部に載置され、第２保持部１０９で電池パック２００ｂの側部（図で示す左右）が保持
されている。また、第３保持部で前後方向（図２（ｂ）における上下方向）が保持されている。
【００３４】
そして、図で示す左右方向は第１保持部１０８で規制され、下方は第１保持部１０８で規制され、上方は点線で示した電池部蓋１０２で規制される為に、電池収納部１０７内でがたつくようなことはない。
【００３５】
図４（ｃ）は、電池パック２００ｃを収納した状態を示しており、第１保持部１０８及び第２保持部１０９で電池パック２００ｂの側部（図で示す左右）が保持されている。また、第３保持部１１０で前後方向（図２（ｂ）における上下方向）が保持されている。
【００３６】
そして、図で示す左右方向は第１保持部１０８及び第２保持部１０９で規制され、上方は点線で示した電池部蓋１０２で規制される為に、電池収納部１０７内でがたつくようなことはない。
【００３７】
なお、第１保持部１０８は、電池パック２００ａを保持する場合は、電池パック２００ａの左右を保持するという固定する機能と、電池パック２００ｂを収納する場合には載置部として位置決めする機能の２つの機能を有している。
【００３８】
さらに、第３保持部１１０は、電池パック２００ａを保持する場合は、電池パック２００ａの抜け防止として機能し、電池パック２００ｂ、２００ｃを保持する場合は、ばね性を利用して、図２（ｂ）で示す上下から保持するように構成されている。
【００３９】
以上のように、電池パック２００ａ、２００ｂ、２００ｃは何れも、電池収納部１０７に収納可能となり、また、保持される為、電池収納部から外れて落下するといったことも防止できる。
【００４０】
従って、本願発明によると、ケースを共用しつつ、大きさの異なる電池を収納・固定できるので、内蔵する無線装置の機能（コンセントレーター、中継器、メータ子機、メータ親機等）に応じて、適切な電池容量の電池を選択できる。
【００４１】
また、メータとの有線接続の機能を有する無線装置のように、通信仕様によって消費電力が異なる場合でも、同様に消費電力に応じた電池を選択し、実装することができる。
【００４２】
なお、本実施の形態では、円柱状の電池を複数穂運束ねた電池パックで説明したが、大きさにより容量が異なる場合に、大きさに応じた保持部を構成するものであれば良く、本発明の精神を逸脱することなく、その構造及び／又は機能の詳細を実質的に変更できる。
【産業上の利用可能性】
【００４３】
本発明の無線装置は、電池を電源とし、機能により必要な電池の大きさが異なる場合でも、ケースを共用しつつ、大きさの異なる電池を収納できるものであり、電池を電源とする種々の無線装置に適用可能である。
【符号の説明】
【００４４】
１００  無線装置
１０５  無線回路部（無線回路基板）
１０７  電池収納部
１０８  第１保持部（保持部）
１０８ａ、１０８ｂ  爪部
１０９  第２保持部（保持部）
１０９ａ、１０９ｂ  爪部
１１０  第３保持部（保持部）
１１０ａ、１１０ｂ  爪部
２００ａ〜２００ｃ  電池パック
【図１】
2018063859.tif 000003
【図２】
2018063859.tif 000004
【図３】
2018063859.tif 000005
【図４】
2018063859.tif 000006